(57)【要約】【課題】全体の見込み幅をより狭く抑えつつ、操作部を有する外窓の室内側に備えることが可能な内窓を提供する。【解決手段】室内外を連通する開口に設けられて前記室内外を仕切る仕切部材を当該仕切部材の姿勢を変更可能に支持する外窓枠に固定され、前記仕切部材より室内側にて前記姿勢を変更すべく操作する操作部を有する外窓の前記仕切部材より室内側に設けられる内窓であって、前記仕切部材の室内側に設けられる障子と、前記開口に設けられ、前記障子を支持する内窓枠と、を有し、前記内窓枠には、前記障子の面内方向において当該障子と並ぶ位置に、前記操作部が室内側に露出するように配置される操作部配置空間を形成する空間形成部を有している。【選択図】図７
2014208967.tif 000002
【特許請求の範囲】
【請求項１】
室内外を連通する開口に設けられて前記室内外を仕切る仕切部材を当該仕切部材の姿勢を変更可能に支持する外窓枠に固定され、前記仕切部材より室内側にて前記姿勢を変更すべく操作する操作部を有する外窓の前記仕切部材より室内側に設けられる内窓であって、
前記仕切部材の室内側に設けられる障子と、
前記開口に設けられ、前記障子を支持する内窓枠と、を有し、
前記内窓枠には、前記障子の面内方向において当該障子と並ぶ位置に、前記操作部が室内側に露出するように配置される操作部配置空間を形成する空間形成部を有していることを特徴する内窓。
【請求項２】
請求項１に記載の内窓であって、
前記操作部配置空間における前記内窓枠と前記外窓枠との間を閉塞する閉塞部材を有することを特徴とする内窓。
【請求項３】
請求項２に記載の内窓であって、
前記閉塞部材は、合成樹脂にて形成されており、前記内窓枠に取り付けられて、前記操作部の外形形状に沿うように変形することを特徴とする内窓。
【請求項４】
請求項３に記載の内窓であって、
前記閉塞部材は、複数のヒレ状をなすヒレ状部を有しており、
前記ヒレ状部が前記操作部に当接されることにより変形することを特徴とする内窓。
【請求項５】
請求項１乃至請求項４のいずれかに記載の内窓であって、
前記内窓枠は、前記障子を支持する支持枠体、及び、
前記支持枠体と前記開口を形成する開口形成部とを連結する連結枠部材、
を有し、
前記空間形成部は、前記連結枠部材側に設けられていることを特徴する内窓。
【請求項６】
請求項５に記載の内窓であって、
前記連結枠部材は、前記開口形成部に固定される開口側固定部材と、
前記開口側固定部材と前記支持枠体とを連結する連結材と、を有することを特徴とする内窓。
【請求項７】
請求項２に記載の内窓であって、
前記操作部は、外窓枠に設けられた台座と、前記台座と繋がって操作されるハンドル本体と、前記ハンドル本体と前記台座とを連結し、前記ハンドル本体の操作による動力を前記台座側に伝達する動力伝達部材と、を有し、
前記内窓枠は、前記障子を支持する支持枠体、及び、内部に中空部を備えて前記支持枠体と前記開口を形成している開口形成部とを連結する連結枠部材と、を有し、
前記中空部に前記台座と前記動力伝達部とが配置され、前記中空部より室内側に前記ハンドル本体が配置される前記連結枠部材が前記空間形成部をなすことを特徴とする内窓。
【発明の詳細な説明】
【技術分野】
【０００１】
本発明は、室内外を連通する開口に設けられて室内外を仕切る仕切部材より室内側に設けられる内窓に関する。
【背景技術】
【０００２】
室内外を連通する開口に設けられて室内外を仕切る仕切部材より室内側に設けられる内窓としては、例えば、室外側に設けた既設外窓より室内側に設けられる内窓が知られている（例えば、特許文献１参照）。この内窓は、窓開口部に設けられた化粧枠の室内側にふかし枠を取り付け、このふかし枠に窓枠と、窓枠の内周に配置される障子とが備えられている。
【先行技術文献】
【特許文献】
【０００３】
【特許文献１】特開２０１１−１５３４９３号公報
【発明の概要】
【発明が解決しようとする課題】
【０００４】
上記のような内窓は、窓開口部に設けられた化粧枠の室内側にふかし枠が設けられているので、内窓が、より室内側に配置され、室内側に大きく突出する場合には室内空間が狭められてしまう。また、外窓が、辷り出し窓やルーバーを備えた窓であり、その操作部となるオペレーターハンドルが室内側に突出して設けられている場合には、内窓がオペレーターハンドル等の操作部と干渉しないように室内側に配置されるため、見込み幅が広いふかし枠を用いなければならず、室内空間が更に狭められてしまうという課題がある。
【０００５】
本発明は、かかる課題に鑑みてなされたものであり、その目的とするところは、窓全体の見込み幅をより狭く抑えつつ、操作部を有する外窓の室内側に備えることが可能な内窓を提供することにある。
【課題を解決するための手段】
【０００６】
かかる目的を達成するために本発明の内窓は、室内外を連通する開口に設けられて前記室内外を仕切る仕切部材を当該仕切部材の姿勢を変更可能に支持する外窓枠に固定され、前記仕切部材より室内側にて前記姿勢を変更すべく操作する操作部を有する外窓の前記仕切部材より室内側に設けられる内窓であって、前記仕切部材の室内側に設けられる障子と、前記開口に設けられ、前記障子を支持する内窓枠と、を有し、前記内窓枠には、前記障子の面内方向において当該障子と並ぶ位置に、前記操作部が室内側に露出するように配置される操作部配置空間を形成する空間形成部を有していることを特徴する内窓である。
【０００７】
このような内窓によれば、内窓の障子を支持する内窓枠が、障子の面内方向において当該障子と並ぶ位置に、操作部が室内側に露出するように配置される操作部配置空間を形成する空間形成部を有しているので、操作部を操作部配置空間に位置するように内窓枠を配置することにより、見込み方向において操作部の突出量と関係なく障子及び内窓枠を配置することが可能である。このため、操作部を有する外窓の室内側に内窓を備えたとしても、窓全体の見込み幅をより狭く抑えることが可能である。
また、操作部は、室内側に露出するように設けられているので、内窓が閉じられた状態であっても外窓を操作することが可能である。
【０００８】
かかる内窓であって、前記操作部配置空間における前記内窓枠と前記外窓枠との間を閉塞する閉塞部材を有することが望ましい。
このような内窓によれば、操作部が配置される操作部配置空間における内窓枠と外窓枠との間を閉塞する閉塞部材が設けられているので、内窓枠と操作部を有する外窓枠との間に間隙が生じないように内窓を備えることが可能である。
【０００９】
かかる内窓であって、前記閉塞部材は、前記内窓枠に取り付けられて、前記操作部の外形形状に沿うように変形することが望ましい。
このような内窓によれば、閉塞部材が操作部の外形形状に沿うように変形して内窓枠に取り付けられるので、優れた意匠性を備えることが可能である。
【００１０】
かかる内窓であって、前記閉塞部材は、複数のヒレ状をなすヒレ状部を有しており、前記ヒレ状部が前記操作部に当接されることにより変形することが望ましい。
このような内窓によれば、閉塞部材の複数のヒレ状部が操作部に当接されるので、ヒレ状部が操作部の多様な形状に沿って当接されるので、より意匠性及び汎用性に優れた内窓を提供することが可能である。
【００１１】
かかる内窓であって、前記内窓枠は、前記障子を支持する支持枠体、及び、前記支持枠体と前記開口を形成する開口形成部とを連結する連結枠部材、を有し、前記空間形成部は、前記連結枠部材側に設けられていることが望ましい。
このような内窓によれば、空間形成部が、内窓枠が有する支持枠体と連結枠部材とのうちの、連結枠部材側に設けられているので、連結枠部材を変更することにより、支持枠体を変更することなく、操作部の多様な形状に対応することが可能である。このため、例えば、既存の内窓であっても、操作部を有する外窓の室内側に、窓全体の見込み幅をより狭く抑えつつ、内窓を備えることが可能である。
【００１２】
かかる内窓であって、前記連結枠部材は、前記開口形成部に固定される開口側固定部材と、前記開口側固定部材と前記支持枠体とを連結する連結材と、を有することが望ましい。
このような内窓によれば、支持枠体と開口形成部とを連結する連結枠部材は、開口形成部に固定される開口側固定部材と、開口側固定部材と支持枠体とを連結する連結材の２つの部材から形成されているので、開口側固定部材と連結材との左右方向における相対位置を調節することにより連結枠部材の幅を変更することが可能である。このため、操作部の左右方向における幅に応じて、連結枠部材を左右方向において操作部と干渉しない位置に配置することが可能である。また、空間形成部が設けられている連結枠部材が、開口側固定部材と連結材とから形成されているので、例えば、開口側固定部材を操作部配置空間にて上下に分かれるように配置し、連結材と開口形成部とを開口側固定部材により操作部配置空間の上下にてそれぞれ繋ぐように取り付けると、開口側固定部材を単に切断するだけで、切り欠き等の煩雑な加工を行うことなく操作部を室内側に露出させることが可能である。このため、加工性に優れた内窓を提供することが可能である。
【００１３】
かかる内窓であって、前記操作部は、外窓枠に設けられた台座と、前記台座と繋がって操作されるハンドル本体と、前記ハンドル本体と前記台座とを連結し、前記ハンドル本体の操作による動力を前記台座側に伝達する動力伝達部材と、を有し、前記内窓枠は、前記障子を支持する支持枠体、及び、内部に中空部を備えて前記支持枠体と前記開口を形成している開口形成部とを連結する連結枠部材と、を有し、前記中空部に前記台座と前記動力伝達部とが配置され、前記中空部より室内側に前記ハンドル本体が配置される前記連結枠部材が前記空間形成部をなすこととしてもよい。
このような内窓によれば、操作部のハンドル本体と台座との間に動力を伝達する動力伝達部材を備えているので、ハンドル本体と台座とを各々所望の位置に配置して動力伝達部材によりハンドル本体と台座とを繋ぐことが可能である。このため、障子の面内方向において当該障子と並ぶ位置に配置される操作部配置空間を狭くして内窓枠の内側となる有効開口面積を広くすることが可能である。また、連結枠部材の室内側に配置されたハンドル本体を操作して中空部内の動力伝達部を介して台座側に動力を伝達することができるので、室内側に露出する部位をハンドル本体のみとして意匠性にも優れた内窓を提供することが可能である。
【発明の効果】
【００１４】
本発明によれば、全体の見込み幅をより狭く抑えつつ、操作部を有する外窓の室内側に備えることが可能な内窓を提供することが可能である。
【図面の簡単な説明】
【００１５】
【図１】本実施形態に係る内窓を室内側から見た内観図である。
【図２】本実施形態に係る内窓及び外窓を示す縦断面図である。
【図３】本実施形態に係る内窓及び外窓を示す横断面図である。
【図４】オペレーターハンドルと連結枠との取り合い部を示す平断面図である。
【図５】閉塞部材を示す斜視図である。
【図６】内窓枠の構成と施工手順を示す斜視図である。
【図７】オペレーターハンドルの外形形状に沿って変形している閉塞部材のヒレ状部を示す図である。
【図８】一部材でなる連結枠部材を示す横断面図である。
【図９】閉塞部材の変形例を示す斜視図である。
【図１０】図１０（ａ）は、オペレーターハンドルの第１変形例の正面図であり、図１０（ｂ）は、図１０（ａ）におけるＡ矢視図である。
【図１１】図１１（ａ）は、オペレーターハンドルの第２変形例の正面図であり、図１１（ｂ）は、図１１（ａ）におけるＢ矢視図である。
【図１２】図１２（ａ）は、オペレーターハンドルの第３変形例の正面図であり、図１２（ｂ）は、図１２（ａ）におけるＣ矢視図である。
【図１３】図１３（ａ）は、オペレーターハンドルの第４変形例の平面図であり、図１３（ｂ）は、図１３（ａ）におけるＤ矢視図である。
【図１４】他の実施形態に係る内窓及び外窓を示す横断面図である。
【発明を実施するための形態】
【００１６】
以下、本発明の本実施形態に係る内窓について図面を参照して説明する。
本実施形態では、室内外を連通する開口に設けられた既存の外窓の室内側に設けられる、図１に示すような内窓１０を例に挙げて説明する。
【００１７】
本実施形態における外窓２は、図２、図３に示すように、室内外を仕切る仕切部材としての複数のガラスルーバー３を備えたガラスルーバー窓である。外窓２は、複数のガラスルーバー３を回動自在に支持する外窓枠４に、各ガラスルーバー３の姿勢を変更すべく回動させて開口５を開閉するための操作部としてのオペレーターハンドル７が室内側に突出させて設けられている。
【００１８】
以下の説明においては、開口５に設けられている外窓２及び内窓１０を室内側から見たときに、上下となる方向を上下方向、左右となる方向を左右方向、室内外方向である奥行き方向を見込み方向として示す。尚、外窓２及び内窓１０を構成する各部材は、単体として説明する場合であっても、開口５に設けられた状態で上下方向、左右方向、見込み方向等となる方向にて方向を特定して説明する。
【００１９】
本実施形態の外窓２は、外窓枠４が建物等において開口５を有する壁部８の、見込み方向における室外側の部位に設けられており、外窓枠４は、上下の横枠材４ａと左右の縦枠材４ｂとが枠組みされて矩形状をなしている。
【００２０】
外窓枠４の室内側には額縁９が四周に渡って設けられている。すなわち、額縁９は、外窓２の室内側にて開口５を形成する開口形成部に相当する。以下の説明においては、上下方向及び左右方向において、外窓枠４及び額縁９に囲まれた中央側を内周側、外窓枠及び額縁の外側を外周側として説明する。
【００２１】
外窓枠４を構成する右側の縦枠材４ｂの下端側には、図４に示すように室内側に突出させた台座７ａと、台座７ａから突出され、把持部７ｂを備えて室内側からの操作を可能とするアーム部７ｃとを有するオペレーターハンドル７が設けられている。オペレーターハンドル７は、台座７ａ内及び外窓枠４内に設けられたリンク機構６により各ガラスルーバー３と連結されており、オペレーターハンドル７を操作することによりガラスルーバー３を開閉可能である。
【００２２】
外窓枠４は、左右の縦枠材４ｂに各々、躯体に固定される枠本体４ｃと、枠本体４ｃの室内側の端部から内周側に突出されて上下方向の全域に渡って室内に臨む面４ｄを有する縦枠室内壁部４ｅと、枠本体４ｃの室内側の部位に係止されて外窓枠４の内周側に臨む面４ｆを形成し額縁９の室外側の部位に固定される額縁固定部材４ｇと、を有している。オペレーターハンドル７の台座７ａは、縦枠室内壁部４ｅの下端側に、縦枠室内壁部４ｅを見込み方向に貫通する貫通孔（不図示）を覆うように取り付けられており、貫通孔にはオペレーターハンドル７と連結されているリンク６ａが挿通されている。
【００２３】
内窓１０は、上下方向にスライド移動可能な障子としての２枚の上げ下げ障子１１と、上げ下げ障子１１を支持するための支持枠体１２を有する内窓枠１３と、を有し、複数のガラスルーバー３を備えた外窓２より室内側の開口５を形成している額縁９の内周側に、見込み方向において外窓２と隣接するように設けられている。
【００２４】
内窓枠１３は、２枚の上げ下げ障子１１がそれぞれ設けられる領域を見込み方向に並べて形成する支持枠体１２と、支持枠体１２の右側に取り付けられ、右側の額縁９と支持枠体１２とを連結する連結枠部材１４と、連結枠部材１４とオペレーターハンドル７との隙間を覆う閉塞部材１５と、を有している。
【００２５】
２枚の上げ下げ障子１１は、樹脂板１１ａと、樹脂板１１ａの上縁部及び下縁部を収容する上框１１ｂ及び下框１１ｃと、を有している。上框１１ｂと下框１１ｃとは、樹脂板１１ａの左右方向の幅より短く形成されており、樹脂板１１ａは、上框１１ｂ及び下框１１ｃの左右方向における両側に突出している。
【００２６】
支持枠体１２は、同一の断面形状をなす４本の支持枠材１２ａが上下と左の額縁９及び連結枠部材１４にそれぞれ固定されて矩形状をなし、各々、左右方向に沿う３つの内窓壁部１２ｂが、見込み方向において互いに間隔を隔てて配置され、各内窓壁部１２ｂの外周側の端部同士が見込み方向に沿う平板状の外周壁部１２ｃにて連結されて形成されている。すなわち、４本の支持枠材１２ａは断面がＥ字状をなし、互いの端部が突き合わされて矩形状をなし、室内側と室外側とに２枚の上げ下げ障子１１がそれぞれ設けられる障子領域１２ｄが、支持枠体１２の全周にわたって形成されている。
【００２７】
支持枠材１２ａのうち左右に設けられて上下方向に沿う縦の支持枠材１２ａには、各障子領域１２ｄにそれぞれ、２枚の上げ下げ障子１１が有する樹脂板１１ａの左右の縁部１１ｄが収容されて上下方向に案内されるガイド部材１６が設けられている。
【００２８】
ガイド部材１６は、内周側に開放されて断面がほぼコ字状をなすガイド本体部１６ａと、ガイド本体部１６ａの開放された側の両先端からコ字状の内側に曲げ戻すように延出された摺動片１６ｂと、を有し、支持枠材１２ａの上下方向における全域に設けられている。
【００２９】
ガイド本体部１６ａの内側に対向するように設けられている摺動片１６ｂは、互い弾性変形可能に設けられており、互いに押圧し合うように設けられている。樹脂板１１ａは、左右の縁部１１ｄが、対向する摺動片１６ｂの間に、摺動片１６ｂを見込み方向に分かつように収容され、上げ下げ障子１１が昇降する際に摺動片１６ｂと摺動する。すなわち、樹脂板１１ａの左右の縁部１１ｄは、見込み方向に対向する摺動片１６ｂに、その弾性により押圧された状態にて挟まれている。
【００３０】
連結枠部材１４は、右側の額縁９に固定される開口側固定部材１９と、支持枠体１２の右側に固定されて開口側固定部材１９が連結される連結材１８と、連結材１８に固定されて開口側固定部材１９と連結材１８とを室内側から覆うカバー部材２０と、を有している。
【００３１】
連結材１８は、上下の額縁９間にわたる長さを有する押出成形部材である。連結材１８は、支持枠体１２が有する右側の外周壁部１２ｃのほぼ全面に沿って当接される平板状の当接壁部１８ａと、当接壁部１８ａの室外側の縁から僅かに室内側の位置から右方向に延出された延出壁部１８ｂと、を有し、延出壁部１８ｂの先端には、カバー部材２０が係止される係止片１８ｃが設けられている。
【００３２】
また、当接壁部１８ａにおける外周壁部１２ｃとの当接面１８ｄは、室内側の部位が室外側の部位より窪ませて形成されており、当接壁部１８ａが外周壁部１２ｃに当接されたときに、当接壁部１８ａと外周壁部１２ｃとの間の室内側にスリット状の空隙Ｓ１が形成されるように構成されている。このスリット状の空隙Ｓ１には、後述するカバー部材２０の左側のカバー延出部２０ｄ及び閉塞部材１５の空隙挿入部１５ｇが挿入される。
【００３３】
開口側固定部材１９は、オペレーターハンドル７の上と下とに互いに間隔を隔ててそれぞれ設けられた部材である。開口側固定部材１９は、額縁９の内周面及び額縁固定部材４ｇの内周側に臨む面に当接されてビス止めされる内周面当接部１９ａと、縦枠室内壁部４ｅの、室内に臨む面に当接される室内壁部当接部１９ｂと、室内壁部当接部１９ｂの左側に設けられ、室内壁部当接部１９ｂより室内側に位置して連結材１８の延出壁部１８ｂがビス止めされる連結ビス止め部１９ｃと、を有している。
【００３４】
カバー部材２０は、押出成形部材であり、閉塞部材１５の上から上側の額縁９の下面までの間を覆う上のカバー部材２０ａと、閉塞部材１５の下から下側の額縁９の上面までの間を覆う下のカバー部材２０ｂとに分かれている。上下のカバー部材２０ａ、２０ｂは、左右方向に沿って室内に臨む面を有するカバー本体２０ｃと、カバー本体２０ｃの左端部から室外側に向かって延出されたカバー延出部２０ｄと、カバー本体２０ｃの左右方向における中央から室外側に延出された中央延出部２０ｅと、中央延出部２０ｅの先端に連結材１８の延出壁部１８ｂの先端に設けられた係止片１８ｃに係止されるフック部２０ｆと、が設けられている。
【００３５】
閉塞部材１５は、例えばエラストマーなどの弾性を有する軟質の合成樹脂製であり、上側の開口側固定部材１９の下縁と下側の開口側固定部材１９の上縁との間にて右の額縁９から連結材１８と支持枠体１２との間までを覆う部材である。
【００３６】
閉塞部材１５は、オペレーターハンドル７が設けられていない状態の縦枠室内壁部４ｅを室内側から覆うことが可能な縦枠覆部１５ａと、連結材１８の延出壁部１８ｂを室内側から覆う延出壁覆部１５ｂと、が繋がった室内面覆部１５ｃ、室内面覆部１５ｃの上縁から室内側に延出され上側の開口側固定部材１９の下にて右の額縁９と連結材１８の当接壁部１８ａとの間を塞ぐように設けられた上閉塞部１５ｄ、室内面覆部１５ｃの下縁から室内側に延出され下側の開口側固定部材１９の上にて右の額縁９と連結材１８の当接壁部１８ａとの間を塞ぐように設けられた下閉塞部１５ｅ、延出壁覆部１５ｂの左縁と上閉塞部１５ｄ及び下閉塞部１５ｅの左縁とを繋ぐように当接壁部１８ａの額縁９と対向する面を覆う当接壁覆部１５ｆ、及び、当接壁覆部１５ｆの室内側の縁と繋がって当接壁部１８ａと外周壁部１２ｃの間の室内側にスリット状の空隙Ｓ１に入り込む空隙挿入部１５ｇ、が一体に形成されている。すなわち、オペレーターハンドル７が設けられていない状態で、閉塞部材１５が取り付けられると、閉塞部材１５と右の額縁９の内周面とにて囲まれて室内側に開放された空間が形成される。
【００３７】
上閉塞部１５ｄには、取り付けられた状態にて上側のカバー部材２０のカバー本体２０ｃの下端が挿入される溝部１５ｈが設けられており、下閉塞部１５ｅには、取り付けられた状態にて下側のカバー部材２０のカバー本体２０ｃの上端が挿入される溝部１５ｈが設けられている。また、縦枠覆部１５ａは、上下方向において適宜幅にて複数に分割されて各々屈曲可能なヒレ状をなす、複数のヒレ状部１５ｉにて構成されている。
【００３８】
本内窓１０を、開口５に備えられた既設の外窓２の室内側への取り付ける場合には、まず、オペレーターハンドル７の台座７ａの上下にそれぞれ開口側固定部材１９を配置して額縁９にビス止めする。
【００３９】
次に、連結材１８を、開口側固定部材１９の連結ビス止め部１９ｃの室内側の面に延出壁部１８ｂの室外側の面を当接させるとともに、連結材１８と開口側固定部材１９との相対位置を適宜調節して、連結ビス止め部１９ｃと延出壁部１８ｂとを室内側からビス止めする。このとき、上下に間隔を隔てて設けられた２つの開口側固定部材１９間にオペレーターハンドル７が配置される。
【００４０】
連結枠部材１４の幅は、外窓２に設けられるオペレーターハンドル７等の操作部の左右方向の幅に応じて決定されるため、連結枠部材１４の幅は施工現場により相違する場合がある。このため、連結材１８と開口側固定部材１９とを施工現場に合わせて取り付けられるように、連結材１８は開口側固定部材１９に対して左右方向に位置調整可能に設けられている。また、カバー部材２０は、位置調整されて取り付けられた連結材１８に係止されたときに、カバー本体２０ｃの右端部側が右の額縁９との間を覆うように、額縁９と支持枠体１２との間の幅に応じて切除できるように構成されている。すなわち、カバー部材２０のカバー本体２０ｃは、右の額縁９との間に大きな隙間ができないように、連結材１８の調整量に応じて切除可能な長さを有している。
【００４１】
次に、閉塞部材１５を上下の開口側固定部材１９間に室内側から配置するとともに、空隙挿入部１５ｇを当接壁部１８ａと外周壁部１２ｃの間の室内側にスリット状の空隙Ｓ１に挿入する。このとき、ヒレ状部１５ｉでなる縦枠覆部１５ａは、オペレーターハンドル７の外形に沿うように屈曲して閉塞部材１５が取り付けられることにより、オペレーターハンドル７と支持枠体１２との間が閉塞される。
【００４２】
次に、閉塞部材１５の上に設けられた溝部１５ｈに上のカバー部材２０のカバー本体２０ｃの下端を挿入するとともに、中央延出部２０ｅの先端に設けられたフック部２０ｆを、連結材１８の延出壁部１８ｂの先端に設けられた係止片１８ｃに係止させて上のカバー部材２０ａを取り付ける。また、閉塞部材１５の下に設けられた溝部１５ｈに下のカバー部材２０ｂのカバー本体２０ｃの上端を挿入するとともに、中央延出部２０ｅの先端に設けられたフック部２０ｆを、連結材１８の延出壁部１８ｂの先端に設けられた係止片１８ｃに係止させて下のカバー部材２０ｂを取り付ける。
【００４３】
最後に、支持枠体１２を構成する４本の支持枠材１２ａのうちの縦方向に沿って配置される２本の支持枠材１２ａを左の額縁９と連結材１８とにそれぞれビス止めして固定し、横方向に沿って配置される２本の支持枠材１２ａを上下の額縁９にそれぞれビス止めして固定することにより矩形状の支持枠体１２が左の額縁９と連結材１８との間に形成される。そして、形成された支持枠体１２に上げ下げ障子１１を装着する。
【００４４】
本実施形態では、上下の開口側固定部材１９と、この上下の開口側固定部材１９に固定された連結材１８と、右側の額縁９とに囲まれた空間が、上げ下げ障子１１の面内方向において上げ下げ障子１１と並ぶ位置に、オペレーターハンドル７が室内側に露出するように配置される操作部配置空間Ｓ２をなしている。そして、操作部配置空間Ｓ２を形成する、右の額縁９に上下に間隔を隔てて固定された２つの開口側固定部材１９、及び、開口側固定部材１９に固定された連結材１８が空間形成部に相当する。
【００４５】
本実施形態の内窓１０によれば、内窓１０の上げ下げ障子１１を支持する内窓枠１３が、上げ下げ障子１１の面内方向において当該上げ下げ障子１１と並ぶ位置に、オペレーターハンドル７が室内側に露出するように配置される操作部配置空間Ｓ２を形成する連結材１８と開口側固定部材１９とを有しているので、オペレーターハンドル７を操作部配置空間Ｓ２に位置するように内窓枠１３を配置することにより、見込み方向においてオペレーターハンドル７と同じ位置に内窓１０を配置することが可能である。このため、内窓１０は、オペレーターハンドル７より室内側には配置されないので、オペレーターハンドル７が設けられた外窓２の室内側に内窓を備えたとしても、窓全体の見込み幅をより狭く抑えることが可能である。
【００４６】
また、操作部配置空間Ｓ２は、オペレーターハンドル７と内窓枠１３との間を閉塞する合成樹脂でなる閉塞部材１５が設けられており、閉塞部材１５がオペレーターハンドル７の外形形状に沿うように内窓枠１３に取り付けられるので、オペレーターハンドル７と内窓枠１３との間に間隙が生じないように内窓１０を備えることが可能である。このとき、閉塞部材１５の縦枠覆部１５ａは、複数のヒレ状部１５ｉにて構成されているので、ヒレ状部１５ｉを各々オペレーターハンドル７の多様な形状に沿って当接させることができるため、より意匠性に優れ、且つ、汎用性にも優れた内窓１０を提供することが可能である。
【００４７】
また、内窓枠１３は、上げ下げ障子１１を支持する支持枠体１２、及び、支持枠体１２と開口５を形成する額縁９とを連結する連結枠部材１４、を有し、操作部配置空間Ｓ２は、連結枠部材１４に形成されているので、連結枠部材１４を変更することにより、支持枠体１２を変更することなく、オペレーターハンドル７の多様な形状に対応することが可能である。このため、例えば、既存の内窓であっても、オペレーターハンドル等の操作部を有する外窓２の室内側に、見込み幅がより狭くなるように内窓１０を備えることが可能である。
【００４８】
また、支持枠体１２と右の額縁９とを連結する連結枠部材１４は、右の額縁９に固定される開口側固定部材１９と、開口側固定部材１９と支持枠体１２とを連結する連結材１８の２つの部材から形成されているので、開口側固定部材１９と連結材１８との相対位置を調節することにより連結枠部材１４の幅を変更することが可能である。このため、オペレーターハンドル７の左右方向における幅に応じて、連結枠部材１４を左右方向においてオペレーターハンドル７と干渉しない位置に配置することが可能である。
【００４９】
また、操作部配置空間Ｓ２を形成する部位が設けられている連結枠部材１４が、開口側固定部材１９と連結材１８とから形成されているので、例えば、開口側固定部材１９を操作部配置空間Ｓ２にて上下に分かれるように配置し、連結材１８と額縁９とを開口側固定部材１９により操作部配置空間Ｓ２の上下にてそれぞれ繋ぐように取り付けると、開口側固定部材１９を単に切断するだけで、切り欠き等の煩雑な加工を行うことなくオペレーターハンドル７を室内側に露出させることが可能である。このため、加工性に優れた内窓１０を提供することが可能である。
【００５０】
そして、内窓１０が取り付けられた状態で、オペレーターハンドル７が、内窓１０の室内側に露出するように設けられているので、内窓１０が閉じられた状態であっても外窓２を操作することが可能である。
【００５１】
本実施形態においては、連結枠部材１４を連結材１８と開口側固定部材１９とを有する構成としたが、連結枠部材は図８に示すように、一部材でなる連結枠部材２２であってもよい。この場合には、内窓を構成する部材点数が少なくなるので、部材の管理及び施工が容易である。
【００５２】
本実施形態においては、内窓１０として上げ下げ障子１１を備えた上げ下げ窓を例に挙げて説明したが、これに限らず、内窓は、引き違いタイプの窓や内開き窓等、外窓と干渉しない建具であれば構わない。
【００５３】
また、本実施形態においては、外窓としてガラスルーバー窓を例に挙げて説明したが、これに限るものではない。例えば、障子が室外側に突出する辷り出し窓など、室内外を仕切る仕切部材を支持する外窓枠に固定されて仕切部材より室内側にて仕切部材を操作する操作部を有する建具であれば構わない。
【００５４】
本実施形態においては、閉塞部材１５の縦枠覆部１５ａが複数のヒレ状部１５ｉにて構成されている例について説明したが、これに限るものではない。たとえば、一枚に繋がった縦枠覆部をオペレーターハンドルの外形形状に合わせて切除しても良い。このとき図９に示すように、上下方向に沿う複数の溝部１５ｊを設けておくと、現場での作業が容易である。
【００５５】
また、本実施形態においては、閉塞部材１５の全体を軟質の合成樹脂製として説明したが、オペレーターハンドル７等の外形形状に沿わされる縦枠覆部１５ａのみが軟質の合成樹脂製であっても構わない。また、閉塞部材１５は、縦枠覆部１５ａのみが軟質の合成樹脂製であれば、他の部位は、硬質の合成樹脂であっても、また、その他の材料であっても構わない。
【００５６】
本実施形態においては、操作部として形状を変更不能な高い剛性を備えたオペレーターハンドル７を備えた例について説明したが、これに限るものではない。以下の説明においては、上記実施形態と同一構成については図中で同符号を付して示し、その説明については省略する。
オペレーターハンドル７は、たとえば図１４に示すように、外窓枠４に設けられた台座７ａと、把持部７ｂおよびアーム部７ｃとからなるハンドル本体７ｄと、ハンドル本体７ｄと台座７ａとの間にて動力を伝達する動力伝達部材としての屈曲可能なフレキシブルシャフト７ｅと、を有するオペレーターハンドル７であっても構わない。この場合には、たとえば、内窓枠１３の連結枠部材１４を構成する連結材１８と開口側固定部材１９とが上下方向において開口５のほぼ全域に繋がって設けられており、上下方向において開口５のほぼ全域に繋がったカバー部材２０とともに中空部１４ａを形成している。
【００５７】
この中空部１４ａ内には、オペレーターハンドル７のフレキシブルシャフト７ｅと台座７ａとが配置され、その室内側にカバー部材２０より室内側に突出させてハンドル本体７ｄが設けられている。この中空部１４ａ内にてフレキシブルシャフト７ｅと台座７ａとが配置されている空間が、操作部配置空間Ｓ３に相当する。このとき、開口側固定部材１９の内周面当接部１９ａは、ハンドル本体７ｄを固定するために、室内側に延出されて、カバー部材２０の係止部１９ｄが設けられるとともに、カバー部材２０の室外側にて当該カバー部材２０と対向する位置まで延出され、ハンドル本体７ｄが固定されるハンドル固定部１９ｅを有している。
【００５８】
このような内窓１０の場合には、オペレーターハンドル７のハンドル本体７ｄと台座７ａとの間にて動力を伝達する部材が屈曲可能なフレキシブルシャフト７ｅなので、ハンドル本体７ｄと台座７ａとの位置を適宜設定することが可能である。このため、障子１７の面内方向において当該障子１７と並ぶ位置に配置される操作部配置空間をより狭くして内窓枠１３の内側となる有効開口面積を大きくすることが可能である。
【００５９】
また、連結枠部材１４の室内側に配置されたハンドル本体７ｄを操作して中空部１４ａ内のフレキシブルシャフト７ｅを介してリンク機構６を機能させることができるので、意匠性にも優れた内窓１０を提供することが可能である。
【００６０】
また、ハンドル本体７ｄと台座７ａとの間にてフレキシブルシャフト７ｅが介在されたオペレーターハンドル７の場合であって、台座７ａを外窓枠４に取り付けて外窓枠４と内窓枠１３との間に、台座７ａを配置できるだけの間隔が見込み方向確保できる場合には、フレキシブルシャフト７ｅのみを内窓枠１３を貫通させて配置しても良い。このとき、内窓枠１３内に配置されるのは、フレキシブルシャフト７ｅだけなので、操作部配置空間をより狭くすることが可能である。
【００６１】
また、内窓枠１３がフレキシブルシャフト７ｅを貫通可能な中空部１２ｅを有している場合には、連結枠部材１４が不要となるので、内窓枠１３の内側となる有効開口面積をさらに広げることが可能である。
【００６２】
また、本実施形態においては、操作部を、アームを回動するタイプのオペレーターハンドル７としたが、これに限らず、例えば、図１０に示すような、台座２５に設けられたダイヤル式のハンドル２６であってもよい。また、図１１、図１２に示すような、チェーン２７を操作することにより外窓と連結されたスプロケットが回動して外窓の操作を可能とするオペレーターハンドル２８や、図１３に示すような、上下方向に移動可能なレバー２９により外窓の操作を可能とするオペレーターハンドル３０であっても構わない。
【００６３】
上記実施形態においては、ハンドル本体７ｄと台座７ａとの間に動力伝達部材として屈曲可能なフレキシブルシャフト７ｅを備えた例について説明したが、動力伝達部材は必ずしも屈曲可能である必要はなく、ハンドル本体７ｄと台座７ａとの間にて動力が伝達可能な構成であれば構わない。
なお、本実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００６４】
２  外窓、３  ガラスルーバー、４  外窓枠、５  開口、７  オペレーターハンドル、
７ａ  台座、７ｄ  ハンドル本体、７ｅ  フレキシブルシャフト、
９  額縁、１０  内窓、１１  上げ下げ障子、１２  支持枠体、１３  内窓枠、
１４  連結枠部材、１４ａ  中空部、１５  閉塞部材、１５ａ  縦枠覆部、
１５ｉ  ヒレ状部、１８  連結材、１９  支持枠固定部材、２２  連結枠部材、
２８  オペレーターハンドル、３０  オペレーターハンドル、
Ｓ１  スリット状の空隙、Ｓ２  操作部配置空間
【図１】
2014208967.tif 000003
【図２】
2014208967.tif 000004
【図３】
2014208967.tif 000005
【図４】
2014208967.tif 000006
【図５】
2014208967.tif 000007
【図６】
2014208967.tif 000008
【図７】
2014208967.tif 000009
【図８】
2014208967.tif 000010
【図９】
2014208967.tif 000011
【図１０】
2014208967.tif 000012
【図１１】
2014208967.tif 000013
【図１２】
2014208967.tif 000014
【図１３】
2014208967.tif 000015
【図１４】
2014208967.tif 000016